【事件の表示】
　特許第３３２６３２６号「熱交換器」の請求項１ないし３に係る特許に対する特許異議の申立てについて、次のとおり決定する。
【結　論】
　訂正を認める。
　特許第３３２６３２６号の請求項１に係る特許を取り消す。
　同請求項２ないし３に係る特許を維持する。
【理　由】
１．手続の経緯
　本件特許３３２６３２６号の発明についての出願は、平成８年４月２６日に特許出願がなされ、平成１４年７月５日にその発明について特許の設定登録がなされたところ、異議申立人　松野靖恵より請求項１〜３に係る発明について特許異議の申立がなされ、取消理由通知がなされ、その指定期間内である平成１５年１１月２５日に特許異議意見書の提出とともに訂正請求がなされたものである。
　
２．訂正の適否について
（１）訂正の内容
　平成１５年１１月２５日付けの訂正請求で、特許権者の求めている訂正の内容は、以下の通りである。
　
Ａ．特許請求の範囲の請求項１の「・・・複数の穴を空気流入側を多く空気流出側に向かって徐々に少なくなるように設け設けられる・・・」を「・・・複数の穴を空気流入側を多く空気流出側に向かって徐々に少なくなるように
設け
Ｂ．発明の詳細な説明の段落【０００６】、【００３０】の「・・・複数の穴を空気流入側を多く空気流出側に向かって徐々に少なくなるように設け設けられる・・・」を「・・・複数の穴を空気流入側を多く空気流出側に向かって徐々に少なくなるように
設け
　
（２）訂正の目的の適否、新規事項の有無及び拡張・変更の存否
　訂正事項Ａ、Ｂの、「設け設けられる」を「設けられる」と訂正する訂正は、明らかな誤記の訂正を目的としたものであって、新規事項の追加に該当せず、実質的に特許請求の範囲を拡張変更するものでない。
　
（３）むすび
　以上のとおりであるから、上記訂正は、特許法第１２０条の４第２項及び同条第３項において準用する特許法第１２６条第２項から第４項までの規定に適合するので、当該訂正を認める。
　
３．特許異議申立について
（１）本件訂正発明
　上記訂正は、これを容認することができるから、本件訂正後の請求項１〜３に係る発明（以下、それぞれ「本件訂正発明１」〜「本件訂正発明３」という。）は、訂正後の請求項１〜３に記載された次のとおりのものである。
　
「【請求項１】　断熱箱体の外箱の底面の下方に間隔を存して底板を取り付けて形成される機械室を仕切板で区画された放熱室の前記底板に複数の穴を空気流入側を多く空気流出側に向かって徐々に少なくなるように設けられる前記放熱室に設置される熱交換器に内部に熱交換媒体が流通すると共に、蛇行状に屈曲された配管と、この配管の周囲に螺旋状に捲回固定された熱良導性フィンとを備えたことを特徴とする熱交換器。
【請求項２】　空気流入側に位置するフィンの螺旋ピッチを、空気流出側に比較して疎としたことを特徴とする請求項１の熱交換器。
【請求項３】　空気流入側に位置するフィンの幅を、空気流出側に比較して狭くしたことを特徴とする請求項１の熱交換器。」
　
（２）取消理由の概要
　当審が平成１５年９月１１日付けで通知した取消理由の概要は、訂正前の本件請求項１、２に係る発明は、本件出願前国内において頒布された下記の刊行物１〜３に記載された発明に基づいて当業者が容易に発明をすることができたものであり、その特許は、特許法第２９条第２項の規定に違反してなされたものであるので、取り消すべきものであるというものである。
　
・刊行物１：特開平７−１６７５４７号公報（異議申立人の提出した甲第１号証）
・刊行物２：特開平７−３１８２２２号公報（異議申立人の提出した甲第２号証の１）
・刊行物３：特開平４−１６９７９２号公報（異議申立人の提出した甲第４号証）
　
（３）引用刊行物に記載の発明
・刊行物１
　第３頁第４欄７〜１６行には、冷蔵庫の全体的構成に関して下記の記載がある。
「【００１４】
【実施例】本実施例の冷蔵庫は、図５の如く、冷蔵庫本体２１に、・・・・断熱箱体２４と、・・・・を備えている。そして、前記本体２１の底部に、冷媒を圧縮して気体にする圧縮機２７、冷媒を冷却して液化する凝縮器２８および該凝縮器２８を強制冷却するファン２９を備えた機械室３０が配置されている。」
　
　同欄２０〜２３行には、機械室３０に関して下記の記載がある。
「【００１５】前記機械室３０は、図１，２の如く、前記圧縮機２７、凝縮器２８およびファン２９を載置する基盤３４と、本体２１の底面２１ｂ、両側壁、後壁２１ｃとに囲まれた空間により形成されている。」
　なお、上記の図１、２から、凝縮器２８は蛇行状に屈曲した配管からなることが看取される。
　
　同欄２９〜４０行には、機械室３０の基盤３４に関して下記の記載がある。
「【００１６】前記基盤３４は、・・・・本体底面２１ｂに取付けられている。そして、基盤３４の前壁３８aには空気を吸い込む前記吸込口３５が設けられ、後壁３８ｂの一側の側壁３８ｃ寄りに前記排出口３６が設けられている。前記吸込口３５は、細長の矩形に形成された穿孔で、この穿孔が基盤３４の幅方向に複数個規則正しく並べられて配置され、基盤３４の前壁３８ａから底面に回り込んで形成されている。そして、吸込口３５は、後側へ向かうほど穿孔の開□面積が小さく、かつ幅方向に穿孔の数が少なくなっている。」
　
　同欄４１〜４９行には、さらに基盤３４上の部品の配置に関して下記の記載がある。
「【００１７】そして、前記基盤３４には、・・・・前記吸込ロ３５の後方で・・・・配置された凝縮器２８と、凝縮器２８の後方に・・・・整流板４３と、該整流板４３の後方に前記排出口３６を囲う仕切り板４２と、該仕切り板４２に取付けられたファン２９と、仕切り板４２の後方に配された圧縮機２７とを備えている。」
　
　第４頁第６欄第９〜１６行には、凝縮器２８に関して下記の記載がある。
「【００２５】前記凝縮器２８は、裸チューブ２８ａと該裸チューブ２８ａに連設され放熱用のフィンを備えたフィンチューブ２８ｂとから構成されており、・・・・前記フィンチューブ２８ｂは基盤３４の前面から整流板４３までの間、幅方向に折れ曲がりながら配置され・・・・ている。」
　
　上記記載及び図面を参照すると、刊行物１には、以下の発明が記載されている。
　
  断熱箱体の外箱の底面の下方に間隔を存して基板を取り付けて形成される機械室を整流板で区画された室の前記基板に複数の吸込口を空気流入側を多く空気流出側に向かって徐々に少なくなるように設けられる前記室に設置される凝縮器に内部に熱交換媒体が流通すると共に、蛇行状に屈曲された配管と、この配管の周囲に固定されたフィンとを備えたことを特徴とする凝縮器。
　
・刊行物２
　第４頁第５欄２７〜３１行には、冷蔵庫の機械室に配設する熱交換器に関して下記の記載がある。
　
「図１に示す機械室では、フィン付きパイプ１８を圧縮機１０の左右方向に配設させている。このフィン付きパイプ１８は、５〜２０ｍｍ巾の帯状の薄板フィンをパイプに螺旋状に巻き付け、フィン１９とパイプ２０との接触面をロー付けなどで金属的に接触させた構成となっている。」
　
　また、図６、７及び段落【００３３】〜【００３５】（第５頁第７欄１８〜４５行）によって開示された実施例では、フィン付きパイプ１８Ｂはベース２３Ｂ上を蛇行状に屈曲し、ベース２３Ｂに設けられたスリットから冷却用空気が取り込まれることが看取される。
　
・刊行物３
　第１頁左下欄下から第２行〜同頁右下欄第１２行目には、下記の記載がある。
「（産業上の利用分野）
　本発明は冷蔵庫、冷凍ショーケースなどの蒸発器や凝縮器などに使用することができる熱交換器に関するものである。
（従来の技術）
　周知の様に、冷蔵庫や商品陳列用のショーケース等で使用されている熱交換器は、・・・・前記した着霜現象によりフィン間が目詰まりするのを防止するため、熱交換器の空気通過方向の上流側のフィン間隔を長くし、下流側のフィン間隔を短くしている。」
　
　第２頁左上欄第１行目〜第８行目には、下記の記載がある。
「また、第７図で示す様に熱交換器１の蛇行状の熱交換パイプ２において、空気の通過方向（第７図矢印）の最も上流側に位置する最下段の熱交換パイプ２に装着されているフィン３は隣り合うもの同志の間隔が最も長く、空気の通過方向に沿って次第に間隔が短くなり、最も上流側に位置する最上段の熱交換パイプ２に装着されているフィン３の間隔が最も短い。」
　なお、上記「最も
上流側
下流側
　
（４）対比・判断
・本件訂正発明１について
　本件訂正発明１と刊行物１に記載された発明とを対比すると、刊行物１に記載された「基板３４」は本件訂正発明１〜３の「底板」に相当し、以下同様に、「整流板４３」は「仕切板」に、「吸込口３５」は「穴」に、「凝縮器２８」は「熱交換器」に、「整流板４３で仕切られて凝縮器が設置された室」は「放熱室」に相当し、また、熱交換器の配管に設けられるフィンを熱良導性フィンとするようなことは当然になされる設計事項であるから、
両者は、
「断熱箱体の外箱の底面の下方に間隔を存して底板を取り付けて形成される機械室を仕切板で区画された放熱室の前記底板に複数の穴を空気流入側を多く空気流出側に向かって徐々に少なくなるように設けられる前記放熱室に設置される熱交換器に内部に熱交換媒体が流通すると共に、蛇行状に屈曲された配管と、この配管の周囲に固定された熱良導性フィンとを備えたことを特徴とする熱交換器。」である点で一致し、次の点で相違する。
　
［相違点１］本件訂正発明１では、フィンが、配管の周囲に螺旋状に捲回固定されているのに対して、刊行物１には、フィンに関して、「・・・放熱用のフィンを備えたフィンチューブ２８ｂ・・・」と記載されているのみで、図面を参照しても、フィンの構成について明瞭には把握できない点。
　
　上記相違点１について検討すると、刊行物２には、冷蔵庫の機械室の設けられる熱交換器用の配管として、周囲に螺旋状に捲回固定されたフィンを備えた配管を使用したものが記載されているから、刊行物１に記載された熱交換器において、配管として、刊行物２に記載された発明を適用して、本件訂正発明１の構成とすることは当業者が容易に想到し得たことである。
　そして、本件訂正発明１が奏する作用、効果は、刊行物１、２に記載された発明から当業者が予測できたものであって、格別のものとはいえない。
　
・本件訂正発明２について
  本件訂正発明２は、本件訂正発明１の技術事項を引用し、さらに「空気流入側に位置するフィンの螺旋ピッチを、空気流出側に比較して疎とした」なる構成を付加、限定したものである。
　
  本件訂正発明２と刊行物１に記載された発明とを対比すると、両者は、上記相違点１で相違するとともに、さらに、次の点で相違する。
　
［相違点２］本件訂正発明２では、空気流入側に位置するフィンの螺旋ピッチを、空気流出側に比較して疎としたのに対して、刊行物１には、フィンのピッチについて何も記載されていない点。
　
  そこで上記相違点２について検討すると、刊行物３には、空気流入側に位置するフィンのピッチを、空気流出側に比較して疎とした熱交換器が示されている。しかしながら、刊行物３に記載の発明は、塵埃が侵入することが少ない冷蔵庫や冷凍ショーケース等の庫内に設置される蒸発器を対象とするものであり、空気流入側に位置するフィンのピッチを、空気流出側に比較して疎とするのは、蒸発器として使用する熱交換器が、着霜によって目詰まりするのを防止するためのものであり、本件訂正発明２のごとく、外気と常に連通し、塵埃が侵入しやすい放熱室に設置される熱交換器、すなわち、着霜が生じない凝縮器において、流入する空気中の塵埃などによる目詰まりを防止するものとは相違するものである。すなわち、刊行物２、３には、放熱室に設置される本件訂正発明２の熱交換器において、空気流入側に位置するフィンの螺旋ピッチを、空気流出側に比較して疎とした点については記載も示唆もされていない。
　そして、本件訂正発明２は、請求項２記載の構成を具備したことにより明細書記載の格別の作用、効果を奏するものと認められる。
  したがって、本件訂正発明２は、刊行物１〜３に記載された発明から当業者が容易に発明をすることができたものと認めることはできない。
　
・本件訂正発明３について
  本件訂正発明３は、本件訂正発明１の技術事項を引用し、さらに「空気流入側に位置するフィンの幅を、空気流出側に比較して狭くした」なる構成を付加、限定したものである。
　
  本件訂正発明３と刊行物１に記載された発明とを対比すると、両者は、上記相違点１で相違するとともに、さらに、次の点で相違する。
　
［相違点３］本件訂正発明３では、空気流入側に位置するフィンの幅を、空気流出側に比較して狭くしたのに対して、刊行物１には、フィンの幅について何も記載されていない点。
　
  そこで上記相違点３について検討すると、空気流入側に位置するフィンの幅を、空気流出側に比較して狭くした点については刊行物２、３の何れにも記載されておらず、また示唆もされていない。
　そして、本件訂正発明３は、請求項３記載の構成を具備したことにより明細書記載の格別の作用、効果を奏するものと認められる。
  したがって、本件訂正発明３は、刊行物１〜３に記載された発明から当業者が容易に発明をすることができたものと認めることはできない。
　
（５）むすび
　以上のとおり、本件訂正発明１は、刊行物１、２に記載された発明に基づいて当業者が容易に発明をすることができたものであり、したがって、本件訂正発明１についての特許は特許法第２９条第２項の規定に違反してされたものであるので、同法第１１３条第１項第２号に該当し、取り消されるべきものである。
　一方、本件訂正発明２、３は、刊行物１〜３に記載された発明に基づいて、当業者が容易に発明をすることができたものではないので、本件訂正発明２、３についての特許を取り消すことはできず、また、他に、本件特許発明２、３に係る特許を取り消すべき理由を発見しない。
　
　よって、結論のとおり決定する。
【異議決定日】
平成１５年１２月９日（２００３．１２．９）
【訂正の要旨】
審決（決定）の【理由】欄参照。
（５４）【発明の名称】
熱交換器
（５７）【特許請求の範囲】
　【請求項１】　断熱箱体の外箱の底面の下方に間隔を存して底板を取り付けて形成される機械室を仕切板で区画された放熱室の前記底板に複数の穴を空気流入側を多く空気流出側に向かって徐々に少なくなるように
設け
　【請求項２】　空気流入側に位置するフィンの螺旋ピッチを、空気流出側に比較して疎としたことを特徴とする請求項１の熱交換器。
　【請求項３】　空気流入側に位置するフィンの幅を、空気流出側に比較して狭くしたことを特徴とする請求項１の熱交換器。
【発明の詳細な説明】
　【０００１】
　【発明の属する技術分野】
　本発明は、例えば家庭用・業務用冷蔵庫や低温ショーケースなどの特に凝縮器として好適な熱交換器に関するものである。
　【０００２】
　【従来の技術】
　従来よりこの種熱交換器、特に冷蔵庫下部の機械室内に取り付けられて、冷媒回路の凝縮器として使用されるものとしては、例えば実開昭５８−１８６３８９号公報（Ｆ２５Ｄ１９／００）に示される如き、所謂ワイヤーフィン型の熱交換器が用いられていた。
　【０００３】
　係る熱交換器は蛇行状に屈曲した冷媒配管と、それに直交する向きに溶接固定された多数の放熱用ワイヤとから構成されている。
　【０００４】
　【発明が解決しようとする課題】
　しかしながら、係る熱交換器ではワイヤと冷媒配管との接触が点接触となるため、伝熱効率が悪く、熱交換性能も低いものとなる。また、熱交換性能を向上するためにワイヤを更に密に多数取り付けると、今度は塵埃などによる目詰まりが生じ易くなり、やはり熱交換性能の低下を引き起こすと共に、熱交換器全体の寸法が拡大されてしまう結果となっていた。
　【０００５】
　本発明は、係る従来の技術的課題を解決するために成されたものであり、塵埃等による目詰まりが生じ難く、且つ、熱交換性能の向上した熱交換器を提供することを目的とする。
　【０００６】
　【課題を解決するための手段】
　請求項１の発明の熱交換器（凝縮器）１４は、断熱箱体の外箱の底面の下方に間隔を存して底板を取り付けて形成される機械室を仕切板で区画された放熱室の前記底板に複数の穴を空気流入側を多く空気流出側に向かって徐々に少なくなるように
設け
　【０００７】
　また、請求項２の発明の熱交換器（凝縮器）１４によれば請求項１において、空気流入側１１Ａに位置するフィン１４Ｂの螺旋ピッチを、空気流出側１１Ｂに比較して疎としたものである。
　【０００８】
　また、請求項３の発明の熱交換器（凝縮器）１４によれば請求項１において、空気流入側１１Ａに位置するフィン１４Ｂの幅を、空気流出側１１Ｂに比較して狭くしたものである。
　【０００９】
　【発明の実施の形態】
　次に、図面に基づき本発明の実施形態を詳述する。図１は本発明を適用する実施例としての家庭用冷蔵庫１の透視斜視図、図２は冷蔵庫１下部の機械室１０の平断面図、図３は冷蔵庫１下部の機械室１０の縦断側面図をそれぞれ示している。
　【００１０】
　実施例の冷蔵庫１は、前方に開口４Ａを有した鋼板製の外箱２内に間隔を存して内箱３を挿入し、両箱２、３間に発泡ポリウレタン等の断熱材（図示せず）を現場発泡方式にて充填して成る断熱箱体４により本体が構成されている。
　【００１１】
　この断熱箱体４の庫内は、例えば内箱３と一体に成形されて内部に断熱材が収納された上区画壁５と下区画壁６とによって上下三室に区画されており、上区画壁５の上方を冷蔵室７、下区画壁６の下方を野菜室９、それらの間を冷凍室８とされている。
　【００１２】
　また、各室７、８、９の開口は図示しない複数枚の扉によって開閉自在に閉塞される。更に、冷凍室８内後部には、冷却装置の冷媒回路の一部を構成する冷却器（図示せず）が設置され、この冷却器によって冷却された冷気を前記冷凍室８、冷蔵室７及び野菜室９に分配供給して各室は所定の温度にそれぞれ冷却される。
　【００１３】
　係る断熱箱体４の外箱２の底面２Ａは、断熱箱体４の前部において水平状態で、後部において傾斜しながら上昇し、再び水平となって背面板２Ｂに接続されている。また、この底面２Ａの下方には間隔を存して底板１２が取り付けられており、これら底面２Ａと底板１２間に機械室１０が形成されている。
　【００１４】
　この機械室１０内は、前記底面２Ａが傾斜しながら上昇する位置に左右に渡って取り付けられた仕切板１３によって前後に区画されており（図２）、この仕切板１３より前方を放熱室１１（機械室１０の一部を成す）とされている。
　【００１５】
　この仕切板１３には所定幅の切欠部１３Ａが形成されており、この切欠部１３Ａは後述する機械室１０に設置されたディップコンデンサ１７側（向かって左側）に位置して、機械室１０とその前方の放熱室１１とを連通している。また、放熱室１１の前面は冷蔵庫１の略全幅に渡って開口され、そこを空気流入側１１Ａとされると共に、放熱室１１の後部に位置する仕切板１３の切欠部１３Ａは空気流出側１１Ｂとされる。
　【００１６】
　また、仕切板１３より後方の機械室１０に対応する外箱２の左右面にはスリット１０Ａ・・が複数設けられており、これによって機械室１０の左右は外部と連通している。また、後述するディップコンデンサ１７側となるスリット１０Ａ（向かって左側）の数は少なく、後述する圧縮機１５側となるスリット１０Ａ（向かって右側）の数は多く設定されている。
　【００１７】
　この仕切板１３より後方の機械室１０内左側には前記冷却器からの除霜水を受ける蒸発皿１８が設置され、この蒸発皿１８内にはディップコンデンサ１７が浸漬されている。このディップコンデンサ１７には後述する圧縮機１５から吐出された高温冷媒が循環され、蒸発皿１８内に受け入れた冷却器からの除霜水を蒸発させる。また、機械室１０の右側には圧縮機１５が設置されており、蒸発皿１８と圧縮機１５の間には送風機１６が設置されている。尚、圧縮機１５は内部のモーターによって駆動されるものであり、その構造としてはレシプロ型、ロータリー型、或いはスクロール型等の種々の構造が適用される。
　【００１８】
　また、放熱室１１の下方に対応する底板１２には、横長略矩形の穴１２Ａ・・が複数穿設されている。これらの穴１２Ａ・・・は空気流入側１１Ａでは左右に渡って多数設けられると共に、空気流出側１１Ｂに向かうに従って右側が徐々に少なくなり、最終的には仕切板１３の切欠部１３Ａの幅に合致する範囲で形成されている（図２）。即ち、底板１２に設けた複数の穴１２Ａ・・・は空気流入側１１Ａを多く、空気流出側１１Ｂの切欠部１３Ａに向かって徐々に少なくされており、それによって、底板１２下方から穴１２Ａ・・を通過して流入する風を切欠部１３Ａに案内する。
　【００１９】
　また、底板１２には図示しないアングルが取り付けられており、このアングル四隅には脚１９・・・がそれぞれ固定され、冷蔵庫１の運転による振動を柔げるように構成している。
　【００２０】
　そして、係る放熱室１１内には本発明の熱交換器としての凝縮器１４が水平状態で設置される。この凝縮器１４は図４、図５に示す如く同一平面上で蛇行状に屈曲された銅、或いは、アルミニウム等から成る冷媒配管１４Ａと、アルミニウム薄板などから成る帯状の熱良導性フィン１４Ｂとから構成されており、このフィン１４Ｂは冷媒配管１４Ａの周囲に螺旋状に捲回固定されている。
　【００２１】
　尚、図では冷媒配管１４Ａの直線部分のみに設けたが、配管１４Ａの屈曲部分（ベンド部）にもフィン１４Ｂを捲回固定することも容易である。
　【００２２】
　また、空気流入側１１Ａ（前側）に位置するフィン１４Ｂの螺旋ピッチは空気流出側１１Ｂ（後側）のフィン１４Ｂに比較して疎とされると共に、更に空気流入側１１Ａに位置するフィン１４Ｂの幅は、空気流出側１１Ｂに位置するフィン１４Ｂよりも狭くされている。
　【００２３】
　これにより、空気流入側１１Ａから流れ込む空気の抵抗を軽減し、空気流入側１１Ａから空気流出側１１Ｂに円滑に流れるように企図している（図４）。そして、前記圧縮機１５、ディップコンデンサ１７、凝縮器１４（の冷媒配管１４Ａ）、図示しない減圧装置及び前記冷却器は順次環状に配管接続されて冷却装置の冷媒回路を構成する。そして、冷媒回路内には熱交換媒体としての冷媒（Ｒ−１３４ａなど）が所定量充填される。
　【００２４】
　以上の構成で次に冷蔵庫１の動作を説明する。圧縮機１５のモーターが駆動されると、圧縮機１５から高温高圧のガス冷媒が吐出され、ディップコンデンサ１７に流入して蒸発皿１８内を加熱した後、凝縮器１４に流入して凝縮液化される。その後、冷媒は減圧装置にて減圧された後、前記冷却器に流入して蒸発し、冷却作用を発揮する。そして、圧縮機１５はモーターの発生する熱、機械部品の摩擦によって発生する熱により高温となる。
　【００２５】
　一方、送風機１６も運転され、蒸発皿１８側から空気を吸引する。これによって、放熱室１１の空気流入側１１Ａ及び各穴１２Ａ・・からは放熱室１１内に外気が流入し（図３）、空気流出側１１Ｂの切欠部１３Ａから機械室１０内に流入する。係る外気の通風によって凝縮器１４は冷却される。そして、機械室１０内に流入した空気及び左側のスリット１０Ａから流入した外気は、蒸発皿１８を経た後、圧縮機１５を冷却して反対側のスリット１０Ａから機械室１０外に排気される。
　【００２６】
　このとき、底板１２に設けた空気流入側１１Ａの穴１２Ａ・・・は空気流出側１１Ｂに設けた穴１２Ａ・・・より多く設けられており、風の流れる方向に空気流入側１１Ａを多く、空気流出側１１Ｂを少なく配置しているので、穴１２Ａ・・より流入した空気は図２に矢印で示す如く空気流出側１１Ｂの切欠部１３Ａに向かって円滑に流れる。
　【００２７】
　また、凝縮器１４は蛇行状に屈曲した冷媒配管１４Ａの周囲に熱良導性フィン１４Ｂを螺旋状に捲回固定しており、放熱室１１の空気流入側１１Ａに位置するフィン１４Ｂの螺旋ピッチを空気流出側１１Ｂのフィン１４Ｂに比較して疎に捲回固定すると共に、その幅も狭くしているので、凝縮器１４内を流れる空気の抵抗を大幅に軽減することができる。
　【００２８】
　また、空気は常にある角度をもってフィン１４Ｂに当たるので空気とフィン１４Ｂとの熱交換性能も向上すると共に、塵埃も吹き飛ばされるので、流入する空気中の塵埃などによる目詰まり等も生じ難くなる。特に、フィン１４Ｂはその一側辺において冷媒配管１４Ａに接触しているので、冷媒配管１４Ａとの接触面積の増大により伝熱性能が著しく良好となる。従って、凝縮器１４の熱交換性能（放熱・凝縮性能）が著しく向上し、それによって、凝縮器１４を小型化することが可能となると共に、その性能を長期間維持することが可能となる。
　【００２９】
　尚、実施例では凝縮器に本発明を適用したが、冷却器などに適用しても良い。また、実施例では家庭用冷蔵庫について説明したが、それに限らず、業務用冷蔵庫やショーケースなどにも本発明は有効である。
　【００３０】
　【発明の効果】
　以上詳述した如く本発明によれば、断熱箱体の外箱の底面の下方に間隔を存して底板を取り付けて形成される機械室を仕切板で区画された放熱室の前記底板に複数の穴を空気流入側を多く空気流出側に向かって徐々に少なくなるように
設け
　【００３１】
　特に、蛇行状に屈曲された配管の屈曲部分にもフィンを配することが可能となるので、熱交換器全体としての熱交換量も増大すると共に、従来に比して配管の屈曲半径を縮小し、小型化を実現することができる。
　【００３２】
　請求項２の発明によれば、上記に加えて空気流入側に位置するフィンの螺旋ピッチを、空気流出側に比較して疎としたので、流入する空気中の塵埃などによる目詰まりが発生し難くなり、熱交換性能を長期間維持することが可能となるものである。
　【００３３】
　請求項３の発明によれば、請求項１に加えて空気流入側に位置するフィンの幅を、空気流出側に比較して狭くしたので、同様に流入する空気中の塵埃などによる目詰まりが発生し難くなり、熱交換性能を長期間維持することが可能となるものである。
【図面の簡単な説明】
　【図１】
　本発明を適用した冷蔵庫の透視斜視図である。
　【図２】
　冷蔵庫下部の機械室の平断面図である。
　【図３】
　冷蔵庫下部の機械室の縦断側面図である。
　【図４】
　本発明の熱交換器としての凝縮器の平面図である。
　【図５】
　図４の凝縮器の冷媒配管とフィンの拡大正面図である。
　【符号の説明】
　１　冷蔵庫
　２　外箱
　４　断熱箱体
　１０　機械室
　１１　放熱室
　１１Ａ　空気流入側
　１１Ｂ　空気流出側
　１２　底板
　１３　仕切板
　１３Ａ　切欠部
　１４　凝縮器
　１４Ａ　配管
　１４Ｂ　フィン
　１６　送風機